(57)【要約】      （修正有）【課題】  乳幼児の就寝時においても簡単に取替え可能な汗取りパッドを提供する。また、乳幼児の後頭部にかく汗も効率良く吸収できる汗取りパッドを提供する。【解決手段】  汗取りパッド１は、背当て部２に頭当て部５を連接し、背当て部２の下部にズレ防止紐を設けた構成としている。これにより、後頭部にかく汗を効率よく吸収する。また、就寝時に汗取りパッド１を２枚重ねて背中に添着した場合、外側の汗取りパッドに設けられたズレ防止紐を把持しながら内側の汗取りパッドの頭当て部５を引っ張ることにより、就寝中に背中に接触している内側の１枚のみを抜き取ることができ、外側の汗取りパッドが摩擦により内側の汗取りパッドに引きつられてずれるおそれがない。【選択図】      図３
2006045750.tif 000002
【特許請求の範囲】
【請求項１】
略矩形状の背当て部と、該背当て部の上縁中央部に連接された頭当て部とから成り、前記背当て部及び前記頭当て部が吸湿性材料で形成されることを特徴とする汗取りパッド。
【請求項２】
前記頭当て部は、前記背当て部と着脱自在に構成されることを特徴とする請求項１に記載の汗取りパッド。
【請求項３】
前記背当て部の下方の一箇所以上にズレ防止紐を設けたことを特徴とする請求項１又は請求項２に記載の汗取りパッド。
【請求項４】
吸湿性材料で形成された略矩形状の背当て部と、該背当て部の上縁中央部に連接されたつまみ部とから成り、該背当て部の下方の一箇所以上にズレ防止紐を設けたことを特徴とする汗取りパッド。
【請求項５】
前記ズレ防止紐は、前記背当て部と着脱自在に構成されることを特徴とする請求項３又は請求項４に記載の汗取りパッド。
【請求項６】
前記吸湿性材料は、吸湿性繊維、吸湿紙、高分子吸湿材のいずれか一つ以上から成ることを特徴とする請求項１〜請求項５のいずれかに記載の汗取りパッド。
【発明の詳細な説明】
【技術分野】
【０００１】  本発明は、特に乳幼児の背中に添着して、車中や就寝時に汗を吸収させる汗取りパッドに関するものである。
【背景技術】
【０００２】  乳幼児は夏季、特に就寝時やベビーカーに乗車時、或いは車でのドライブ時において、背中や後頭部に多量の汗をかくことが多い。このようなとき、従来は服を着替えさせるか、服と背中の間にガーゼやハンドタオルを入れて汗を吸収させる方法が用いられていた。【０００３】  しかし、外出時に代えの服やガーゼ等を持ち合わせていないときは、子供を長時間不快感にさらしてしまい、さらに冷房の入った場所に移動した場合は風邪をひかせるおそれもある。また、代えの服やガーゼ等を持ち合わせていたとしても、子供が寝ていた場合、わざわざ起こさなければならず、代えのガーゼやハンドタオルを複数枚用意しなければならない。【０００４】  そこで、簡単な構成で発汗の不快感を和らげる汗取りパッドが提案されており、例えば特許文献１には、図４に示すような、縦長の略長方形状からなる背当て部２の上縁両側に、突出片からなる肩当て部３ａ、３ｂを設け、背当て部２の上縁中央に、突出片からなるつまみ部４を設けた汗取りパッド１が開示されている。【０００５】  乳幼児は、前述したように就寝時に多量の汗をかくため、ガーゼや汗取りパッドを２枚重ねて背中に添着しておき、就寝中に背中に接触している側の１枚のみを抜き取る方法がよく用いられる。しかしながら、特許文献１の汗取りパッドでは、つまみ部を引っ張って１枚のみを抜き取ろうとしても他方のパッドまで摩擦により抜け出てしまうことがあり、また、背中側の１枚のみを確実に抜き取ろうとすると時間を要し、乳幼児を起こしてしまうという不都合があった。さらに、特許文献１の汗取りパッドでは、乳幼児が後頭部にかいた汗を吸収することはできなかった。
【特許文献１】        特開２００２−８８５０８号公報
【発明の開示】
【発明が解決しようとする課題】
【０００６】  本発明は、上記問題点に鑑み、乳幼児の就寝時においても簡単に取替え可能な汗取りパッドを提供することを目的とする。また、本発明の他の目的は、乳幼児の後頭部にかく汗も効率良く吸収できる汗取りパッドを提供することを目的とする。
【課題を解決するための手段】
【０００７】  上記目的を達成するために本発明は、略矩形状の背当て部と、該背当て部の上縁中央部に連接された頭当て部とから成り、前記背当て部及び前記頭当て部が吸湿性材料で形成される汗取りパッドである。【０００８】  また本発明は、上記構成の汗取りパッドにおいて、前記頭当て部は、前記背当て部と着脱自在に構成されることを特徴としている。【０００９】  また本発明は、上記構成の汗取りパッドにおいて、前記背当て部の下方の一箇所以上にズレ防止紐を設けたことを特徴としている。【００１０】  また本発明は、吸湿性材料で形成された略矩形状の背当て部と、該背当て部の上縁中央部に連接されたつまみ部とから成り、該背当て部の下方の一箇所以上にズレ防止紐を設けた汗取りパッドである。【００１１】  また本発明は、上記構成の汗取りパッドにおいて、前記ズレ防止紐は、前記背当て部と着脱自在に構成されることを特徴としている。【００１２】  また本発明は、上記構成の汗取りパッドにおいて、前記吸湿性材料は、吸湿性繊維、吸湿紙、高分子吸湿材のいずれか一つ以上から成ることを特徴としている。
【発明の効果】
【００１３】  本発明の第１の構成によれば、略矩形状の背当て部の上縁中央部に頭当て部が連接され、背当て部及び頭当て部が吸湿性材料で形成されているため、乳幼児が就寝時において後頭部にかく汗を簡単な構成で効率良く吸収することができる。【００１４】  また、本発明の第２の構成によれば、上記第１の構成の汗取りパッドにおいて、頭当て部と背当て部が着脱自在に構成されるため、就寝時等必要な時にのみ頭当て部を取り付けて使用できるので使い勝手がよい。【００１５】  また、本発明の第３の構成によれば、上記第１又は第２の構成の汗取りパッドにおいて、背当て部の下方の一箇所以上にズレ防止紐が設けられているため、乳幼児が就寝時において後頭部にかく汗を効率良く吸収するとともに、汗取りパッドを２枚重ねて背中に添着しておき、内側のパッドのみを引き抜く場合、外側のパッドのズレ防止紐を把持することにより、外側の汗取りパッドがずれる不都合がなくなる。【００１６】  また、本発明の第４の構成によれば、背当て部の下方の一箇所以上にズレ防止紐が設けられているため、汗取りパッドを２枚重ねて背中に添着しておき、内側の汗取りパッドのつまみ部を持って引き抜く際に、外側の汗取りパッドのズレ防止紐を把持することにより、外側の汗取りパッドが内側の汗取りパッドに引きつられてずれる不都合がなくなる。【００１７】  また、本発明の第５の構成によれば、上記第３又は第４の構成の汗取りパッドにおいて、ズレ防止紐と背当て部が着脱自在に構成されるため、就寝時等必要な時にのみズレ防止紐を取り付けて使用できるので使い勝手がよい。【００１８】  また、本発明の第６の構成によれば、上記第１乃至第５のいずれかの構成の汗取りパッドにおいて、吸湿性材料は、吸湿性繊維、吸湿紙、高分子吸湿材のいずれか一つ以上から成るため、汗の吸収効率の高い汗取りパッドとすることができる。
【発明を実施するための最良の形態】
【００１９】  以下に本発明の実施形態を図面を参照して詳細に説明する。図１は、本発明の第１実施形態に係る汗取りパッドの全体構成を示す平面図である。従来例の図４と共通する部分には同一の符号を付して説明を省略する。図１に示すように、汗取りパッド１は背当て部２と、背当て部２の上縁中央部に連接された頭当て部５から成る。頭当て部５は、就寝時に乳幼児の頭部の下に敷かれ、後頭部にかく汗を吸収する。【００２０】  背当て部２及び頭当て部５は、汗を効率良く吸収する吸湿性材料で形成される。吸湿性材料としては、例えばガーゼ、タオル地等の吸湿性繊維、吸湿紙、高分子吸湿材等が挙げられる。なお、ここでは頭当て部５は背当て部２と同一の材料で一体成型されているが、例えば頭当て部を背当て部２と別体に形成しておき、マジックテープ等で着脱自在に構成してもよい。【００２１】  図２は、本発明の第２実施形態に係る汗取りパッドの全体構成を示す平面図である。図１と共通する部分には同一の符号を付して説明を省略する。本実施形態においては、背当て部２の上縁中央部には頭当て部５に代えてつまみ部４が形成されている。また、背当て部２の下方には２本のズレ防止紐６が設けられている。【００２２】  本実施形態の汗取りパッド１を２枚重ねて背中に添着しておき、つまみ部４を引っ張り就寝中に背中に接触している内側の１枚のみを抜き取る場合、外側の汗取りパッドに設けられたズレ防止紐６を把持しておけば、摩擦により内側の汗取りパッドに引きつられてずれるおそれがない。なお、ここではずれ防止紐６は背当て部２の下方２箇所に設けられているが、中央１箇所に１本設けても良い。また、ズレ防止紐６は背当て部２と同一の材料で一体成型されているが、背当て部２と別体に形成しておき、マジックテープ等で着脱自在に構成し、就寝時にのみ取り付けてもよい。【００２３】  図３は、本発明の第３実施形態に係る汗取りパッドの全体構成を示す平面図である。図１、図２と共通する部分には同一の符号を付して説明を省略する。本実施形態においては、背当て部２に頭当て部５を連接した第１実施形態の汗取りパッド１の下部にズレ防止紐６を設けた構成としている。【００２４】  本実施形態の汗取りパッド１を２枚重ねて背中に添着しておけば、頭当て部５により後頭部にかく汗を効率良く吸い取ることができ、第２実施形態のつまみ部４に代えて頭当て部５を引っ張ることにより、就寝中に背中に接触している内側の１枚のみを抜き取ることができる。さらに外側の汗取りパッドに設けられたズレ防止紐６を把持しておけば、第２実施形態と同様に摩擦により内側の汗取りパッドに引きつられてずれるおそれがない。なお、本実施形態においても、頭当て部５及びズレ防止紐６はマジックテープ等で着脱自在に構成することができる。【００２５】  本発明の汗取りパッド１の使用状態を、図４を用いて詳細に説明する。図４は、乳幼児の就寝時に汗取りパッド１を２枚重ねて背中に添着した状態を示している。背中に接触している内側には、背当て部２及び頭当て部５から成る第１実施形態の汗取りパッドを用いており、外側には、背当て部２に頭当て部５及びズレ防止紐６が設けられた第３実施形態の汗取りパッドを用いている。外側の汗取りパッ���に設けられた頭当て部５は外側に折り返されており、ズレ防止紐６はパジャマのズボン内を貫通し、先端部が裾から露出している。【００２６】  乳幼児が寝汗をかいたときは、外側の汗取りパッドに設けられたズレ防止紐６を把持しながら内側の汗取りパッドの頭当て部５を引っ張り、内側の汗取りパッドのみを引き抜き、最後に外側に折り返された頭当て部５を伸ばして頭部の下に敷く。これにより、乳幼児を目覚めさせることなく汗取りパッドの取替えをスムーズに行うことができる。なお、ズレ防止紐６はズボン内を貫通させなくとも、上着の下端からズボンの外側に沿わせるようにしても良い。【００２７】  なお、ここでは第１実施形態及び第３実施形態の汗取りパッドを重ねて使用しているが、外側の汗取りパッドにズレ防止紐６が設けられていれば同様の効果が得られるため、第１実施形態及び第２実施形態の汗取りパッドを重ねて使用しても良く、第２実施形態或いは第３実施形態の汗取りパッドの一方又は双方を２枚重ねて使用しても良い。
【産業上の利用可能性】
【００２８】  本発明は、略矩形状の背当て部と、該背当て部の上縁中央部に連接された頭当て部とから成り、背当て部及び頭当て部が吸湿性材料で形成される汗取りパッドである。これにより、乳幼児が就寝時において背中にかく汗だけでなく、後頭部にかく汗も簡単な構成で効率良く吸収することができる。さらに、頭当て部と背当て部を着脱自在に構成することにより、就寝時等必要な時にのみ頭当て部を取り付けて使用できるので使い勝手の良い汗取りパッドとなる。【００２９】  また、背当て部の下方の一箇所以上にズレ防止紐を設けたので、汗取りパッドを２枚重ねて背中に添着しておき、内側のパッドのみを引き抜く場合、外側のパッドのズレ防止紐を把持することにより、外側の汗取りパッドがずれる不都合がなくなる。さらに、ズレ防止紐を背当て部と着脱自在に構成することにより、就寝時等必要な時にのみズレ防止紐を取り付けて使用できるので使い勝手がよくなる。【００３０】  また、汗取りパッドを吸湿性繊維、吸湿紙、高分子吸湿材のいずれか一つ以上から成る吸湿性材料により形成したので、汗の吸収効率の高い汗取りパッドとすることができる。
【図面の簡単な説明】
【００３１】
【図１】は、本発明の第１実施形態に係る汗取りパッドの構成を示す平面図である。
【図２】は、本発明の第２実施形態に係る汗取りパッドの構成を示す平面図である。
【図３】は、本発明の第３実施形態に係る汗取りパッドの構成を示す平面図である。
【図４】は、本発明の汗取りパッドの使用状態を説明する側面断面図である。
【図５】は、従来の汗取りパッドの構成を示す平面図である。
【符号の説明】
【００３２】      １          汗取りパッド
２          背当て部
３ａ、３ｂ  肩当て部
４          つまみ部
５          頭当て部
６          ズレ防止紐
【図１】
2006045750.tif 000003
【図２】
2006045750.tif 000004
【図３】
2006045750.tif 000005
【図４】
2006045750.tif 000006
【図５】
2006045750.tif 000007